(57)【要約】【課題】各整流板の全範囲の表裏面に圧力差が生じ難いようにして整流板に対して作用する力をより均一にできる目隠しパネルを得る。【解決手段】風の通過方向を奥行方向としたときに、奥行方向の一方から他方に延長する複数の整流板の間に形成される複数の通風路を有し、複数の整流板４０は、奥行方向と直交する方向に所定の間隔を有して配列され、各整流板は、所定角度を有して延長する第１整流部及び第２整流部と、第１整流部と第２整流部との境界を形成する頂部と、整流板を貫通するように形成されて当該整流板を介して隣り合う通風路同士を連通させる連通部と、を備え、互いに隣り合う一方の整流板の頂部が、他方の整流板における奥行方向の一端と他端とを結ぶ仮想線上に位置するか、又は、当該仮想線よりも他方の整流板の頂部側に位置するように設定され、連通部５０が、各整流板の奥行方向の端部側、頂部側、及び、当該端部側と頂部側との間の中間部に設けられた。【選択図】図５
2018080489.tif 000002
【特許請求の範囲】
【請求項１】
風の通過方向を奥行方向としたときに、当該奥行方向の一方から他方に延長する複数の整流板の間に形成される複数の通風路を有する目隠しパネルであって、
前記複数の整流板は、前記奥行方向と直交する面に沿う方向に所定の間隔を有して配列され、
各整流板は、
前記奥行方向の一方から前記奥行方向の他方に所定角度を有して延長する第１整流部と、
前記奥行方向の他方から前記奥行方向の一方に所定角度を有して延長する第２整流部と、
前記第１整流部と前記第２整流部との境界を形成する頂部と、
前記整流板を貫通するように形成されて当該整流板を介して隣り合う通風路同士を連通させる連通部と、を備え、
互いに隣り合う一方の整流板の頂部が、他方の整流板における前記奥行方向の一端と他端とを結ぶ仮想線上に位置するか、又は、当該仮想線よりも他方の整流板の頂部側に位置するように設定され、
前記連通部が、各整流板の奥行方向の端部側、頂部側、及び、当該端部側と頂部側との間の中間部に設けられ、
前記整流板の奥行方向の端部側から前記通風路を覗いた場合に前記連通部を介して当該通風路の外側が目視されないように構成されたことを特徴とする目隠しパネル。
【請求項２】
前記通風路を覗いた場合の視線と前記整流板の内面とが交差するという条件１を満たすか、又は、前記通風路を覗いた場合の視線と前記整流板の連通部を囲む壁とが交差するという条件２を満たすように構成されたことを特徴とする請求項１に記載の目隠しパネル。
【請求項３】
前記条件２は、前記通風路を覗いた場合の視線と前記整流板の内面と同一面上に位置する前記連通部の開口内側の仮想面との交点から当該連通部の前記奥行方向の端部側に位置する開口端縁までの長さをＸｎとし、前記仮想面と当該仮想面を通過した前記視線とのなす角度をθｘとし、前記整流板の厚さ寸法をｔとした場合において、
Ｘｎｔａｎθｘ≦ｔを満たすという条件であることを特徴とする請求項２に記載の目隠しパネル。
【請求項４】
前記整流板における頂部の稜線方向を整流板の幅方向とした場合において、前記各連通部は、前記幅方向に延長する長孔により形成されたことを特徴とする請求項１乃至請求項３のいずれか一項に記載の目隠しパネル。
【請求項５】
前記整流板における頂部の稜線方向を整流板の幅方向とした場合において、前記各連通部は、前記幅方向に沿って間欠的に設けられた孔により形成されたことを特徴とする請求項１乃至請求項３のいずれか一項に記載の目隠しパネル。
【請求項６】
前記第１整流部と第２整流部とが、前記仮想線と直交して前記頂部を通る線を対象軸とする線対称に形成されたことを特徴とする請求項１乃至請求項５のいずれか一項に記載の目隠しパネル。
【発明の詳細な説明】
【技術分野】
【０００１】
本発明は、目隠しパネルに関し、特に整流板に作用する力をより均一にすることが可能な目隠しパネルに関する。
【背景技術】
【０００２】
マンション等の集合住宅のバルコニーの手摺下部や、バルコニーにおける住戸との境界に設けられて、バルコニーの内外を区画する目隠しパネルが本出願人により提案されている（特許文献１参照）。
【先行技術文献】
【特許文献】
【０００３】
【特許文献１】特開２０１６−１７６３１９号公報
【発明の概要】
【発明が解決しようとする課題】
【０００４】
特許文献１に開示された目隠しパネルは、風の通過方向を奥行方向としたときに、当該奥行方向の一方から他方に延長する複数の整流板の間に形成される複数の通風路を有する目隠しパネルであって、例えば、山形に形成された複数の整流板が、奥行方向と直交する面に沿う方向に一定の間隔を有して配列されて、互いに隣り合う一方の整流板の頂部が、他方の整流板における奥行方向の両端を結ぶ仮想線上、又は、当該仮想線よりも他方の整流板の頂部側に位置するように設定され、かつ、整流板を貫通するように形成されて当該整流板を介して隣り合う通風路同士を連通させる連通部が、各整流板の頂部近傍に設けられたことにより、奥行方向の一方又は他方から通風路を覗いた場合に当該連通部を介して当該通風路の外側が目視されないとともに、各整流板の頂部を中心とする一定の範囲の表裏面に圧力差を生じ難くして各整流板に加わる上向きの力又は下向きの力のいずれか一方方向の力（引き抜き力）を小さくでき、目隠しパネルの破損を抑制できるように構成されたものである。
【０００５】
しかしながら、特許文献１に開示された目隠しパネルにおいては、連通部が各整流板の頂部近傍にしか設けられていないため、各整流板の頂部近傍以外の部分の表裏面に圧力差が生じて、各整流板に引き抜き力が作用してしまうことが判明した。
【０００６】
本発明は、上記内在する課題を解決するため、各整流板の全範囲の表裏面に圧力差が生じ難いようにして整流板に対して作用する力をより均一にできて、強風時の破損を防止できる目隠しパネルを提供することを目的とする。
【課題を解決するための手段】
【０００７】
上記課題を解決するために、本発明の目隠しパネルは、風の通過方向を奥行方向としたときに、当該奥行方向の一方から他方に延長する複数の整流板の間に形成される複数の通風路を有する目隠しパネルであって、前記複数の整流板は、前記奥行方向と直交する面に沿う方向に所定の間隔を有して配列され、各整流板は、前記奥行方向の一方から前記奥行方向の他方に所定角度を有して延長する第１整流部と、前記奥行方向の他方から前記奥行方向の一方に所定角度を有して延長する第２整流部と、前記第１整流部と前記第２整流部との境界を形成する頂部と、前記整流板を貫通するように形成されて当該整流板を介して隣り合う通風路同士を連通させる連通部と、を備え、互いに隣り合う一方の整流板の頂部が、他方の整流板における前記奥行方向の一端と他端とを結ぶ仮想線上に位置するか、又は、当該仮想線よりも他方の整流板の頂部側に位置するように設定され、前記連通部が、各整流板の奥行方向の端部側、頂部側、及び、当該端部側と頂部側との間の中間部に設けられ、前記整流板の奥行方向の端部側から前記通風路を覗いた場合に前記連通部を介して当該通風路の外側が目視されないように構成されたので、各整流板の全範囲の表裏面に圧力差が生じ難いようにして整流板に対して作用する力をより均一にできて、強風時の破損を防止できる目隠しパネルを得ることができる。
また、前記通風路を覗いた場合の視線と前記整流板の内面とが交差するという条件１を満たすか、又は、前記通風路を覗いた場合の視線と前記整流板の連通部を囲む壁とが交差するという条件２を満たすように構成されたので、整流板の奥行方向の端部側から通風路を覗いた場合に連通部を介して当該通風路の外側が確実に目視されない目隠しパネルとなる。
また、前記条件２は、前記通風路を覗いた場合の視線と前記整流板の内面と同一面上に位置する前記連通部の開口内側の仮想面との交点から当該連通部の前記奥行方向の端部側に位置する開口端縁までの長さをＸｎとし、前記仮想面と当該仮想面を通過した前記視線とのなす角度をθｘとし、前記整流板の厚さ寸法をｔとした場合において、Ｘｎｔａｎθｘ≦ｔを満たすという条件であることを特徴とするので、整流板の奥行方向の端部側から通風路を覗いた場合に連通部を介して当該通風路の外側が確実に目視されない目隠しパネルとなる。
また、前記整流板における頂部の稜線方向を整流板の幅方向とした場合において、前記各連通部は、前記幅方向に延長する長孔により形成されたので、各整流板の全範囲の表裏面に圧力差が生じ難いようにして整流板に対して作用する力をより均一にできる効果が向上する。
また、前記整流板における頂部の稜線方向を整流板の幅方向とした場合において、前記各連通部は、前記幅方向に沿って間欠的に設けられた孔により形成されたので、各整流板の全範囲の表裏面に圧力差が生じ難いようにして整流板に対して作用する力をより均一にできる効果が向上する。
また、前記第１整流部と第２整流部とが、前記仮想線と直交して前記頂部を通る線を対象軸とする線対称に形成されたので、各整流板の全範囲の表裏面に圧力差が生じ難いようにして整流板に対して作用する力をより均一にできて、かつ、整流板の奥行方向の端部側から通風路を覗いた場合に連通部を介して当該通風路の外側が目視されない目隠しパネルを得ることができる。
上記発明の概要は、本発明の必要な特徴の全てを列挙したものではなく、これらの特徴群のサブコンビネーションもまた、発明となり得る。
【図面の簡単な説明】
【０００８】
【図１】隔て板を示す全体正面図である。
【図２】目隠しパネルの斜視図及び端面図である。
【図３】目隠しパネルの斜視図である。
【図４】目隠しパネルの斜視図である。
【図５】目隠しパネルの目隠し機能が満たされる条件を数式で説明するための説明図。
【図６】目隠しパネルの目隠し機能が満たされる条件を数式で説明するための説明図。
【図７】目隠しパネルの風方向風力係数を求めたモデルを示す図。
【図８】ＣＡＳＥ１〜６の目隠しパネルの風方向風力係数を算出した結果を示す表。
【図９】ＣＡＳＥ１〜３の目隠しパネルの整流板を示す図。
【図１０】ＣＡＳＥ４〜６の目隠しパネルの整流板を示す図。
【発明を実施するための形態】
【０００９】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らず、選択的に採用される構成を含むものである。
【００１０】
図１は、隔て板１０の設置状態を示す正面図である。同図に示すように、隔て板１０は、例えばマンションやビル等の建造物１のベランダやバルコニーにおける住戸間の境界部分に設けられる。隔て板１０は、建造物１の住戸側壁面３と屋外側壁面（手摺）５との間に設置される。隔て板１０は、住戸側壁面３や床スラブ７に対して固定手段１１等を介して設置されており、住戸のベランダやバルコニーを区画する。隔て板１０は、例えば正面視縦長矩形状であって、枠体２０と、当該枠体２０内に収容される目隠しパネル３０とを主たる構成として備える。なお、以下の説明において「幅方向」とは、隔て板１０を正面視した時の住戸側，屋外側に渡る方向を示し、「奥行方向」とは、上記幅方向と直交する上下方向以外の方向であり、「厚さ方向」と同義である。また、「上下方向」とは、上記幅方向及び奥行方向と直交する方向である。また、枠体２０内に目隠しパネル３０を収容した状態において、風は目隠しパネル３０を奥行方向に通過する。
【００１１】
枠体２０は、例えば金属や硬質性の樹脂等からなるフレームにより、正面視矩形状に組み付けられる。枠体２０は、上下方向に延在し、住戸側壁面３と平行に設けられる一対の縦フレーム２１Ａ；２１Ｂと、幅方向に延在し、一対の縦フレーム２１Ａ；２１Ｂの両端部に架設される一対の横フレーム２３Ａ；２３Ｂと、一対の縦フレーム２１Ａ；２１Ｂの中間部において、横フレーム２３Ａ；２３Ｂと同一方向に延在する中間フレーム２５とを備える。縦フレーム２１Ａ；２１Ｂは、例えば横断面略コ字状の中空体であって、コ字状の開口同士が幅方向に対向するように設けられる。また、横フレーム２３Ａ；２３Ｂも同様に縦断面略コ字状の中空体であって、コ字状の開放同士が上下方向に対向するように設けられる。中間フレーム２５は、縦断面略Ｈ字状に形成され、上下の開口が横フレーム２３Ａ；２３Ｂの開口と向き合うように設けられる。このような各フレームが図外の固定手段により組立てられることにより、枠体２０には後述の目隠しパネル３０を収容可能な上下段の開口部２７が開設される。なお、開口部２７の数はこれに限られるものではない。
【００１２】
以下、目隠しパネル３０の構造について説明する。図２（ａ）は、開口部２７内に収容される目隠しパネル３０の全体斜視図であり、図２（ｂ）は、目隠しパネル３０の要部断面図である。なお、以下の説明においては、目隠しパネル３０を上段の開口部２７に収容する場合を例とする。目隠しパネル３０は、例えばケイ酸カルシウムや硬質樹脂、軟質金属等を素材として、３Ｄプリンタを用いて一体的に作製される。
【００１３】
目隠しパネル３０は、幅方向に対向する一対の支持部３１Ａ；３１Ｂと、当該支持部３１Ａ；３１Ｂ間に渡って延長し、支持部３１Ａ；３１Ｂの上下方向に沿って配列される複数の整流板４０とを備える。図１にも示す通り、支持部３１Ａ；３１Ｂは、上段の開口部２７を形成する縦フレーム２１Ａ；２１Ｂと対応する部分であり、断面コ字状に形成された縦フレーム２１Ａ；２１Ｂの開口部内に挿入された状態で収容される。
【００１４】
図２（ｂ）に示すように複数の整流板４０は、奥行方向と直交する支持部３１Ａ；３１Ｂの上下方向に沿って一定の間隔を有して配列され、当該一定の間隔を有して互いに隣り合う各整流板４０；４０間で通風路Ｒが形成される。整流板４０の奥行方向の寸法（奥行寸法Ｌ）は、例えば５ｍｍ〜２０ｍｍ程度に設定され、また、整流板４０の厚さ寸法（肉厚）ｔ（図５参照）は、火事や地震等の非常時において人力により容易に破壊可能な例えば０．５ｍｍ〜５．０ｍｍ程度に設定される。なお、本明細書においては、複数の整流板４０の配列方向を奥行方向と直交する上下方向として説明しているが、配列方向はこれに限られるものではなく、例えば複数の整流板４０の配列方向を幅方向と対応させることや、斜め方向としてもよい。
【００１５】
図２（ｂ）に示すように、各整流板４０は、通風路Ｒを介した風Ｗの通過方向となる奥行方向の一方側から奥行方向の他方側に向けて上方に傾斜して延長する第１整流部４１と、奥行方向の他方側から奥行方向の一方側に向けて上方に傾斜して延長する第２整流部４３と、第１整流部４１及び第２整流部４３の延長線同士が交わって第１整流部と第２整流部との境界を形成する頂部Ｐと、整流板４０を貫通するように形成されて当該整流板４０を介して隣り合う通風路Ｒ；Ｒ同士を連通させる連通部５０とを備える。
【００１６】
尚、第１整流部４１及び第２整流部４３は、後述する仮想線Ｌ２と直交して頂部Ｐを通る線を対象軸Ｌ１とする線対称に形成されている。
第１整流部４１の下端４１Ａと第２整流部４３の下端４１Ａとを結ぶ仮想線Ｌ２に対する第１整流部４１及び第２整流部４３の傾斜角θ１は、例えば５°〜４０°の範囲で任意に選択可能である。
【００１７】
上記構成からなる整流板４０が、支持部３１Ａ；３１Ｂの上下方向に沿って複数配列されると、上下に隣り合う整流板４０の連通部５０同士、第１整流部４１同士、及び第２整流部４３同士は平行となり、上下に隣り合う整流板４０；４０間には、奥行方向に渡って流路間隔（流路径）が一定な通風路Ｒが形成される。そして、図２（ｂ）に示すように、例えば奥行方向の一方側から他方側に向けて吹き付ける風Ｗは、複数の整流板４０；４０によって形成される複数の通風路Ｒを経由して他方側に吹き抜けることとなる。
【００１８】
次に、上下に隣り合う整流板４０；４０同士の間隔について詳説する。図２（ｂ）に示すように、上下に隣り合う整流板４０；４０の間隔は、少なくとも下方に位置する整流板４０の頂部Ｐの位置が、上方に位置する整流板４０の第１整流部４１及び第２整流部４３の延長端としての下端４１Ａ；４１Ａ同士を結ぶ仮想線Ｌ２の位置と一致するか、あるいは、当該仮想線Ｌ２の位置よりも上方に位置されるように設定される。ここで、頂部Ｐは、奥行寸法Ｌ内に位置し、１の整流板４０において最も上方に位置する点である。
即ち、互いに隣り合う一方の整流板４０の頂部Ｐが、他方の整流板４０における奥行方向の一端と他端とを結ぶ仮想線Ｌ２上、又は、当該仮想線Ｌ２よりも他方の整流板４０の頂部Ｐ側に位置するように設定されている。
【００１９】
連通部５０は、図２（ｂ）に示すように、各整流板４０の奥行方向の端部側（下端４１Ａ側）、頂部Ｐ側、及び、当該端部側と頂部Ｐ側との間の中間部に設けられている。
即ち、整流板４０は、例えば、図３に示すように、幅方向に延長する長孔により形成された連通部５０が、整流板４０の奥行方向の端部側、頂部Ｐ側、及び、当該端部側と頂部Ｐ側との間の中間部のそれぞれに位置されるように設けられた構成である。
尚、風Ｗの通過方向を整流板４０の奥行方向とした場合、整流板４０における頂部Ｐの稜線方向を整流板４０の幅方向と定義する。また、図１及び図２（ａ）においては、連通部５０の図示を省略した。
言い換えれば、整流板４０は、幅方向に延長する長孔により形成された連通部５０を、整流板４０の奥行方向の端部側、頂部Ｐ側、及び、当該端部側と頂部Ｐ側との間の中間部にそれぞれ１つ以上備えた構成である。
具体的には、整流板４０は、連通部５０が、各整流板４０の第１整流部４１において奥行方向の一方から頂部Ｐにかけて、及び、各整流板４０の第２整流部４３において奥行方向の他方から頂部Ｐにかけて、所定の間隔、例えば等間隔を隔てて多数設けられた構成である。
例えば、整流板４０の奥行寸法Ｌが１０ｍｍに設定された場合、連通部５０の奥行寸法は、１ｍｍ〜４ｍｍの範囲で任意に選択可能であり、好ましくは２ｍｍ〜３ｍｍの範囲に設定される。
【００２０】
連通部５０は、図３に示したように、整流板４０の幅方向の一端側から他端側にかけて連続して延長する長孔であってもよいが、図４に示したように、幅方向に沿って間欠的に設けられた長孔又は孔により形成されたものであってもよい。
例えば、連通部５０は、図４（ａ）に示すように、整流板４０の幅方向に沿って間欠的に設けられた長孔により形成されたものであってもよいし、図４（ｂ）に示すように、整流板４０の幅方向及び奥行方向きに沿って間欠的に設けられた円孔により形成されたものであってもよい。
【００２１】
目隠しパネルの全域に奥行方向の一方側から他方側に向かう風が吹いた場合、当該風は、互いに隣り合う整流板間に形成された複数の通風路内を通過するが、整流板を挟む各通風路内の圧力に差が生じた場合、各通風路に挟まれた整流板の表裏面に圧力差が生じ、整流板に引き抜き力が作用する。
言い換えれば、風が各通風路を通過した場合、各通風路に挟まれた整流板には、当該整流板の板面と直交して板面に近付く逆方向の力、又は、当該整流板の板面と直交して板面から離れる逆方向の力が作用するが、当該整流板を挟む各通風路内の圧力に差が無い場合には、当該整流板に作用する逆方向の力が同じ大きさになるため当該整流板に引き抜き力が作用しないが、当該整流板を挟む各通風路内の圧力に差が生じた場合には、当該整流板に作用する逆方向の力の大きさに差が生じることによって、当該整流板に引き抜き力が作用する。
連通部５０を備えない整流板により構成された目隠しパネルの場合、整流板を挟む各通風路内での圧力に差が生じやすいため、当該各通風路に挟まれた整流板の表裏面に圧力差が生じやすく、整流板に引き抜き力が作用しやすくなる。
一方、実施形態１の整流板４０により構成された目隠しパネル３０の場合、整流板４０の奥行方向の端部側（下端４１Ａ側）、頂部Ｐ側、及び、当該端部側と頂部Ｐ側との間の中間部に、それぞれ連通部５０を備えていることにより、整流板４０を挟む各通風路Ｒ；Ｒ内の圧力差が緩和されて、当該各通風路Ｒ；Ｒに挟まれた整流板４０の表裏面に圧力差が生じ難くなり、整流板４０に引き抜き力が作用し難くなる。
【００２２】
よって、目隠しパネル３０を全体視した場合、上下に隣り合う３つの整流板４０により、２つの通風路Ｒが形成されること、換言すれば上下に隣り合う２つ通風路Ｒの間に１の整流板４０が存在することから、目隠しパネル３０のうち、最も上方及び最も下方に位置する整流板４０を除く各整流板４０に作用する力も実質的に０となる。
これにより、風Ｗが通過しても各整流板４０の全範囲に引き抜き力が作用し難くなって、台風等により目隠しパネル３０に対して過大な風力が作用することを防止可能となり、強風時であっても目隠しパネル３０の破損を防止できるようになる。
【００２３】
実施形態のように、整流板４０に作用する力をより均一にすべく、連通部５０を、各整流板４０の奥行方向の端部側（下端４１Ａ側）、頂部Ｐ側、及び、当該端部側と頂部Ｐ側との間の中間部に、それぞれ設けた構成とした場合において、目隠しパネル３０の目隠し機能が満たされるためには、整流板４０の奥行方向の端部側から通風路Ｒを覗いた場合の視線（目が見ている方向）と整流板４０の内面とが交差するという条件１を満たすか、又は、整流板４０の奥行方向の端部側から通風路Ｒを覗いた場合の視線と整流板４０の連通部５０を囲む壁とが交差するという条件２を満たす必要がある。
条件２は、言い換えれば、図５に示すように、整流板４０の奥行方向の端部側から通風路Ｒを覗いた場合の視線ａと整流板４０Ａ（４０）の内面ｂと同一面上に位置する連通部５０の開口内側の仮想面ｃとの交点Ｂから当該連通部５０の奥行方向の端部側に位置する開口端縁ｄまでの長さをＸｎとし、仮想面ｃと当該仮想面ｃを通過した視線ａとのなす角度をθｘ＝（θ１＋θ２）とし、整流板４０の厚さ寸法をｔとした場合において、Ｘｎｔａｎθｘ≦ｔを満たすという条件である。
【００２４】
Ｘｎの求め方について、図５；図６を参照しながら説明する。尚、図５；図６図において、各符号の意味は次の通りである。
Ｌ＝整流板の奥行方向の長さ
ｔ＝整流板の厚さ
ｌｎ＝整流板の奥行方向に沿って隣り合う連通部と連通部との間の長さ
ｌ’ｎ＝整流板の奥行方向に沿った連通部の長さ
θ１＝整流板の水平面に対する傾斜角度
θ２＝視点Ａから通風路を覗いた視線ａの水平面に対する傾斜角度
Ｈ＝視点Ａから評価対象の整流板までの垂直距離
【００２５】
図５に示す各整流板の幅方向と直交する端面図において、例えば、各整流板４０の奥行方向の一方の端部の上端同士を繋ぐ直線ｅ上において通風路Ｒを覗く視点Ａを設定する。
そして、Ｘｎを求める評価対象の整流板４０Ａの奥行方向において視点Ａとは反対側の他方の端部の下端と視点Ａとを繋ぐ線分ＡＣの長さを数式１により求める。尚、Ｌは厳密には、各整流板４０の奥行方向の一方の端部の上端同士を繋ぐ直線ｅから各整流板４０の奥行方向の他方の端部の下端同士を繋ぐ直線までの水平距離である。
【００２６】
【数１】
2018080489.tif 000003
【００２７】
次に視点Ａからの視線ａと評価対象の整流板４０Ａ（４０）の内面ｂと同一面上に位置する連通部５０の開口内側の仮想面ｃとの交点Ｂを求めて、視点Ａと交点Ｂとを繋ぐ線分ＡＢと線分ＡＣとのなす角度θ３を数式２により求める。
【００２８】
【数２】
2018080489.tif 000004
【００２９】
次に線分ＡＣと線分ＣＢとのなす角度θ４を数式３により求める。
【００３０】
【数３】
2018080489.tif 000005
【００３１】
次に線分ＢＣの長さを数式４により求める。
【００３２】
【数４】
2018080489.tif 000006
【００３３】
そして、長さＸｎを数式５により求める。
【００３４】
【数５】
2018080489.tif 000007
【００３５】
整流板４０の奥行方向の端部側から通風路Ｒを覗いた場合に連通部５０を介して当該通風路Ｒの外側が目視されないようにするためには、当該Ｘｎが数式６又は数式７；数式８の条件を満たせばよい。
【００３６】
【数６】
2018080489.tif 000008
【００３７】
【数７】
2018080489.tif 000009
【００３８】
【数８】
2018080489.tif 000010
【００３９】
即ち、数式６の条件を満たす場合は、視点Ａから通風路Ｒを覗いた場合の視線ａと評価対象の整流板４０Ａの内面ｂとが交差することを意味するので、この場合、連通部５０を介して当該通風路Ｒの外側が目視されないことになる。
また、数式７；数式８の条件を満たす場合は、視点Ａから通風路Ｒを覗いた場合の視線ａと評価対象の整流板４０Ａに形成された連通部５０を囲む壁とが交差することを意味するので、この場合も、連通部５０を介して当該通風路Ｒの外側が目視されないことになる。
【００４０】
つまり、整流板４０の奥行方向の端部側から通風路Ｒを覗いた場合に連通部５０を介して当該通風路Ｒの外側が目視されない条件は、Ｘｎが次の数式９の条件を満たす場合である。
【００４１】
【数９】
2018080489.tif 000011
【００４２】
尚、図６（ａ）は、数式７を満たして通風路Ｒの外側が目視されない場合を図示し、図６（ｂ）は、数式７を満たさずに通風路Ｒの外側が目視される場合を図示している。
【００４３】
従って、実施形態の目隠しパネル３０は、数式９の条件を満たすように構成されているので、各整流板４０の全範囲の表裏面に圧力差が生じ難いようにして整流板４０に対して作用する力をより均一にできて、かつ、整流板４０の奥行方向の端部側から通風路Ｒを覗いた場合に連通部５０を介して当該通風路Ｒの外側が確実に目視されないように構成された目隠しパネルとなる。
【００４４】
次に、実施形態１の整流板４０を用いた目隠しパネル３０の性能を確認するため、図７に示す構成の目隠しパネルにおいて、図９、図１０に示すＣＡＳＥ１〜ＣＡＳＥ６の整流板を用いた目隠しパネルを作成し、これらＣＡＳＥ１〜ＣＡＳＥ６の整流板を用いた各目隠しパネルに作用する風方向風力係数Ｃｆを以下の数式１０により求めた。
【００４５】
【数１０】
2018080489.tif 000012
【００４６】
尚、図７及び数式１０における、各符号の意味は次の通りである。
Ｐｎ＝点ｎに作用する表面の風圧力（Ｎ／ｍ２）
Ｐ’ｎ＝点ｎに作用する裏面の風圧力（Ｎ／ｍ２）
ａｎ＝点ｎの負担長さ（ｍ）
θ＝整流板の水平面に対する傾斜角度
ｑＨ＝目隠しパネルの頂部に作用する速度圧（Ｎ／ｍ２）
Ｈ＝目隠しパネルの高さ（ｍ）
【００４７】
また、解析条件は以下の通りである。
離散化アルゴリズム：有限体積法
計算アルゴリズム：ＳＩＭＰＬＥＣ法
空間差分：ｕ,ｖ,ｗｋ,εの移流項・・・3次精度（ＱＵＩＣＫ）(QUICK)
その他・・・１次精度(風上差分)
乱流モデル：ＭＰｋ−εモデル
流入風速：１０ｍ／ｓ
【００４８】
尚、図９に示すＣＡＳＥ１〜ＣＡＳＥ３は、整流板の頂部が鋭角に形成された整流板を用いた目隠しパネル、図１０に示すＣＡＳＥ４〜ＣＡＳＥ６は、整流板の頂部が湾曲形状に形成された整流板を用いた目隠しパネルであり、図９（ａ）；図１０（ａ）に示すＣＡＳＥ１；ＣＡＳＥ４は、整流板の頂部側にのみ連通部５０を備えた整流板を用いた目隠しパネル、図９（ｂ）；図１０（ｂ）に示すＣＡＳＥ２；ＣＡＳＥ５は、整流板の頂部側と端部側とにのみ連通部５０を備えた整流板を用いた目隠しパネル、図９（ｃ）；図１０（ｃ）に示すＣＡＳＥ３，ＣＡＳＥ６は、整流板の奥行方向の端部側、頂部側、及び、当該端部側と頂部側との間の中間部に連通部５０を備えた実施形態１の整流板を用いた目隠しパネルである。尚、整流板の頂部の湾曲形状は、整流板の鋭角に想定された頂部から整流板の奥行方向の両側に第１整流部や第２整流部の奥行方向の長さ寸法の１／１０だけ離れた各地点を結んでできる円弧により形成した。
また、目隠しパネルの高さＨは、図９に示すＣＡＳＥ１〜ＣＡＳＥ３では３０６．６ｍｍ、図１０に示すＣＡＳＥ４〜ＣＡＳＥ６では２８９．８ｍｍとした。
【００４９】
ＣＡＳＥ１〜ＣＡＳＥ６の整流板を用いた各目隠しパネルの風方向風力係数Ｃｆを図８に示す。
解析結果によれば、各整流板４０の奥行方向の端部側、頂部側、及び、当該端部側と頂部側との間の中間部に連通部５０を備えた実施形態１の整流板４０を用いた図９（ｃ）；図１０（ｃ）に示すＣＡＳＥ３，ＣＡＳＥ６の目隠しパネルの風方向風力係数Ｃｆが０．２２；０．１９と小さく、目隠しパネルの整流板４０全体に作用する力が極めて小さくなることが判明した。
一方、整流板の頂部側にのみ連通部を備えた整流板を用いたＣＡＳＥ１，ＣＡＳＥ４の目隠しパネル、整流板の頂部側と端部側とにのみ連通部を備えた整流板を用いたＣＡＳＥ２，ＣＡＳＥ５の目隠しパネルでは、実施形態１のＣＡＳＥ３，ＣＡＳＥ６の目隠しパネルと比べて、風方向風力係数Ｃｆが大きくなり、目隠しパネル７０の整流板４０全体に作用する力が大きくなることが判明した。
即ち、実施形態１の整流板４０を用いた目隠しパネル３０によれば、整流板４０の全範囲に作用する力を小さくできることが実証された。
【００５０】
尚、連通部５０の形状は上記形状に限定されるものでなく、風Ｗの流れを極端に変化させることなく、通風路Ｒ内同士を連通させる形状であれば、いかなる形状であっても良い。
【００５１】
また、整流板４０の形状や具体的寸法は特に限定されない。
例えば、実施形態のように、第１整流部４１と第２整流部４３とが仮想線Ｌ２と直交して頂部Ｐを通る線を対象軸Ｌ１とする線対称に形成された構成とすれば、整流板４０の製造が容易となるが、整流板４０は、必ずしも、第１整流部４１と第２整流部４３とが線対称に形成されていなくても良い。例えば、第１整流部４１及び第２整流部４３の傾斜角θ１；θ１が同一角度に設定されていなくても良い。
また、整流板４０の頂部Ｐは、上述したように、鋭角形状に形成されていても良いし、湾曲形状に形成されていてもよい。
また、整流板４０の断面形状は、例えば、Ｍ字状やＷ字状としてもよい。
【００５２】
また、各整流板４０の頂部Ｐが下方に位置するように構成された目隠しパネルとしてもよい。
また、上記では連通部５０と連通部５０との間の間隔を均一にした例を示したが、連通部５０と連通部５０との間の間隔は均一でなくとも、上述した条件１又は条件２を満たせばよい。
また、上記では、複数の整流板４０が一定の間隔を有して配列されて構成された目隠しパネル６０を例示したが、整流板４０；４０間の間隔は一定でなくとも良い。
【００５３】
また、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
上記実施形態においては、建造物１に設けられるいわゆる隔て板に目隠しパネル３０を適用した例を説明したが、使用用途はこれに限定されない。例えば、目隠しパネル３０の材質を硬質性樹脂や金属、ガラス等に変更することにより、建造物１の屋外側壁面（手摺）５等としても使用できる。つまり、本実施形態の目隠しパネル３０は、目隠しとしての機能が要求される場所であれば、材質や形状を適宜選択することにより、いずれの場所に対しても適用可能である。
また、第１整流部４１の端部及び第２整流部４３の端部、即ち、整流板４０の奥行方向の両端部を曲面を有する形状とすれば、各目隠しパネルの整流板４０に作用する力の相対値をより低減することができる。
【符号の説明】
【００５４】
３０  目隠しパネル、４０  整流板、４１  第１整流部、４３  第２整流部、
５０  連通部、Ｌ１  対称軸、Ｌ２  仮想線、Ｐ  頂部、Ｒ  通風路、Ｗ  風、
ａ  視線、ｂ  整流板の内面、ｃ  仮想面、ｄ  開口端縁。
【図１】
2018080489.tif 000013
【図２】
2018080489.tif 000014
【図３】
2018080489.tif 000015
【図４】
2018080489.tif 000016
【図５】
2018080489.tif 000017
【図６】
2018080489.tif 000018
【図７】
2018080489.tif 000019
【図８】
2018080489.tif 000020
【図９】
2018080489.tif 000021
【図１０】
2018080489.tif 000022